(57)【要約】【課題】組み立て前には、スタンドを中心に、ディスプレーパネルまでもコンパクトに折り畳むことができ、しかも、全ての部材を一体とすることによって、組み立て現場においての組み立てが、極端に簡便になり、かつ、迅速にできる販売台の提供する。【解決手段】本発明は、直方体状の収納箱と、四角柱体を形成するスタンド部と、ディスプレーパネルと、スタンド部の中に組み込まれた支持体と、支持体の上部に置く商品載置板とが一体的に連結された状態から組み立てられ、かつ、組み立て前には、収納箱と、スタンド部と、ディスプレーパネルと、支持体と、商品載置板とが折り畳まれて収納箱の中に収納されることを特徴とする販売台であり、ディスプレーパネルと商品載置板が連接された看板として形成されていることを特徴とする。【選択図】図１
2006255283.tif 000002
【特許請求の範囲】
【請求項１】
直方体状の収納箱と、四角柱体を形成するスタンド部と、ディスプレーパネルと、前記スタンド部の中に組み込まれた支持体と、前記支持体の上部に置く商品載置板とが一体的に連結された状態から組み立てられ、かつ、組み立て前には、前記収納箱と、前記スタンド部と、前記ディスプレーパネルと、前記支持体と、前記商品載置板とが折り畳まれて前記収納箱の中に収納されることを特徴とする販売台。
【請求項２】
前記ディスプレーパネルと前記商品載置板が連接された看板として形成されていることを特徴とする請求項１に記載の販売台。
【請求項３】
前記収納箱が、底板の左右に連接した左右側板、蓋板、上下に連設した上下側板、連結板、補強片からなり、前記左右側板、前記蓋板、前記上下側板、前記連結板、前記補強片が裏返しに折り返されて、前記スタンド部の裏面に補強体として形成されていることを特徴とする請求項１に記載の販売台。
【請求項４】
前記スタンド部が、前板の両側辺にスタンド部側板とスタンド部糊代を連接してなり、対向する前記スタンド部側板のそれぞれが中央縦折れ線で内側に折り畳まれ、同時に、前記支持体も折り畳まれることを特徴とする請求項１に記載の販売台。
【請求項５】
前記スタンド部の上端部が、２重折れ線によって折り返されて、額縁状の端縁が形成されてなることを特徴とする請求項４に記載の販売台。
【請求項６】
前記支持体が、支持体主板の両側辺に支持体糊代を連接した２枚の支持板からなり、各支持板の一方の支持体糊代が前記収納箱の前記底板に貼り合わされ、他方の支持体糊代が前記スタンド部の前記スタンド部前板に貼り合わされてて略Ｘ字状に折り曲げられた状態となることを特徴とする請求項１に記載の販売台。
【請求項７】
ディスプレーパネル補強板の上部を前記ディスプレーパネル裏面に貼り合わせ、下部の差し込み片を前記収納箱の前記蓋板のスリットに差し込んで、前記ディスプレーパネルと前記収納箱を繋いで、前記ディスプレーパネルの前倒れを防止したことを特徴とする請求項１に記載の販売台。
【発明の詳細な説明】
【技術分野】
【０００１】
本発明は、極めてコンパクトに折り畳むことができ、かつ、ワンタッチ操作で容易に現場組み立てを可能としたディスプレーパネル付き販売台に関するものである。
【背景技術】
【０００２】
従来から、特定な新商品の販促キャンペーンにあたり、店頭における顧客の商品購入の動機付けに、ＰＯＰ（購買時点）ディスプレイが取り付けられた即席の販売台が使用されている。これらの販売台に共通する課題は、コンパクトに折り畳んで現場への搬送を容易にし、そして、現場で容易に、かつ、迅速に、組み立てができることである。この課題の解決のために、これまでに種々の提案がなされている（例えば、特許文献１参照。）。
【特許文献１】特開２０００−８３７７７号公報
【発明の開示】
【発明が解決しようとする課題】
【０００３】
しかしながら、特開２０００−８３７７７号公報で提案されているものは、組み立て前には、スタンドを中心に、ディスプレーパネルまでもコンパクトに折り畳む事ができ、組み立て現場においてディスプレーパネルの付いた販売台を組み立て可能であるものの、スタンド、ディスプレーパネル、支持体、商品載置板等の部材が別々で一体となっていないため、組み立て方法の簡便さという点では十分なものではないという問題がある。
【０００４】
本発明は、前述の問題点に鑑みてなされたもので、組み立て前には、スタンドを中心に、ディスプレーパネルまでもコンパクトに折り畳むことができ、しかも、全ての部材を一体とすることによって、組み立て現場においての組み立てが、極端に簡便になり、かつ、迅速にできる販売台を提供することを目的とするものである。
【課題を解決するための手段】
【０００５】
前記課題を解決するためになされた本発明の販売台は、直方体状の収納箱と、四角柱体を形成するスタンド部と、ディスプレーパネルと、前記スタンド部の中に組み込まれた支持体と、前記支持体の上部に置く商品載置板とが一体的に連結された状態から組み立てられ、かつ、組み立て前には、前記収納箱と、前記スタンド部と、前記ディスプレーパネルと、前記支持体と、前記商品載置板とが折り畳まれて前記収納箱の中に収納されることを特徴とする販売台であり、前記ディスプレーパネルと前記商品載置板が連接された看板として形成されていることを特徴とする請求項１に記載の販売台。
また、前記収納箱が、底板の左右に連接した左右側板、蓋板、上下に連設した上下側板、連結板、補強片からなり、前記左右側板、前記蓋板、前記上下側板、前記連結板、前記補強片が裏返しに折り返されて、前記スタンド部の裏面に補強体として形成されていることを特徴とするものである。
また、前記スタンド部が、前板の両側辺にスタンド部側板とスタンド部糊代を連接してなり、対向する前記スタンド部側板のそれぞれが中央縦折れ線で内側に折り畳まれ、同時に、前記支持体も折り畳まれることを特徴とし、前記スタンド部の上端部が、２重折れ線によって折り返されて、額縁状の端縁が形成されてなることを特徴とするものである。
また、前記支持体が、支持体主板の両側辺に支持体糊代を連接した２枚の支持板からなり、各支持板の一方の支持体糊代が前記収納箱の前記底板に貼り合わされ、他方の支持体糊代が前記スタンド部の前記スタンド部前板に貼り合わされてて略Ｘ字状に折り曲げられた状態となることを特徴とするものである。
さらに、ディスプレーパネル補強板の上部を前記ディスプレーパネル裏面に貼り合わせ、下部の差し込み片を前記収納箱の前記蓋板のスリットに差し込んで、前記ディスプレーパネルと前記収納箱を繋いで、前記ディスプレーパネルの前倒れを防止したことを特徴とするものである。
【発明の効果】
【０００６】
本発明による販売台によれば、一体的に連結されている収納箱と、スタンド部、とディスプレーパネル、支持体と、商品載置板とを折り畳んで一括して収納箱の中に収納することができるので、別途外箱を使用する必要がなくなり、極めてコンパクトな荷姿で使用現場に配送することができるので、流通経費の節減になるとともに、部材管理も容易になる。また、組み立てる時には、収納箱と、スタンド部と、ディスプレーパネルと、支持体と、商品載置板とが一体となっているので、使用現場において、容易に、迅速に組み立てることができる。特に、スタンド部の中に支持体が組み込まれているので、支持体を容易に組み立てることができる。また、組み立てた状態では、ディスプレーパネル補強板により、ディスプレーパネルが前に倒れることを防いでいる。また、スタンド部の上端縁は額縁状を呈し、段ボール等の基材の裏面あるいは端面が客の目に触れないような配慮がなされているので、意匠的にも、外観的にも優れたものを提供することができる。さらに、本発明による販売台は、使用後、再度折り畳んで減容化して廃棄することができ、また、全て紙製であるため、廃棄適性に優れ、環境負荷を下げることができる。
【発明を実施するための最良の形態】
【０００７】
本発明を図面により詳しく説明する。図１は、本発明による販売台の前後の外観を示す斜視図であり、図２は、本発明による販売台を構成する収納箱のブランクを示す展開図であり、図３は、本発明による販売台を構成するスタンド部のブランクを示す展開図であり、図４は、本発明による販売台を構成する看板のブランクを示す展開図であり、図５は、本発明による販売台を構成する支持体のブランクを示す展開図であり、図６は、本発明による販売台を構成するディスプレーパネル補強板のブランクを示す展開図であり、図７は、本発明による販売台の折り畳み機能の説明する図であり、そして、図８は、本発明による販売台の支持体を説明する図である。
【０００８】
本発明による販売台６は、図１に示すように、直方体の収納箱１（組み立て時には背後において補強体となる）と、収納箱１の底板１１（図１においては四角柱体の後板に相当する）と共に四角柱体を形成するスタンド部２と、収納箱１に二つ折されて接合されているディスプレーパネル３１と、四角柱体内に略Ｘ字状に組み込まれる支持体４と、その上端縁に接して置かれる商品載置板３２とからなるものである。収納箱１は、図１−ｂに示すように、本発明による販売台６の中心的部材であって、全ての部材の収納機能の他に、スタンド部２の背後において、補強体としての機能を有している。スタンド部２の上端部は、商品展示を効果的にするため、また意匠上前傾している。また、上端部は、基材（Ｅフルート段ボール等）が２重折れ線によってコの字状に折り返されて額縁状の端縁が形成されている。これは、四角柱体の剛性の確保とともに、全体にボリューム感を持たせ、また、段ボール等の基材の汚らしい裏面、端面が直視されないようにするためである。ディスプレーパネル３１は、一枚の板状に展開されてスタンド部２の背後に直立している。支持体４は、目視できないが、四角柱体内に組み込まれて、商品載置板３２とその上に配列される商品の荷重を支えている。商品載置板３２は、所定のレベルになるように、支持体４の上端縁に接して置かれている。また、ディスプレーパネル３１が前に倒れないように、ディスプレーパネル補強板５で、ディスプレーパネル３１と収納箱１の底板１１を繋げている。
【０００９】
図２〜図６は、本発明による販売台を構成する各部材のブランク展開図である。
図２は、収納箱１のブランク展開図である。収納箱１のブランク１０では、底板１１の左右辺に二重折れ線ａ、ａを介して左右側板１２、１２が連接され、その左右側板１２、１２の外側に折れ線ｃ、ｃを介してそれぞれ蓋板１３、１３が連接され、また、底板１１の上下辺に折れ線ｂ、ｂを介して上下側板１４、１４が連接され、上側の上側板１４の上辺に折れ線ｄを介して連結板１５が連接され、下側の下側板１４の下辺に折れ線ｅを介して補強片１６が連接され、その端辺には２ヶ所に切り込み１６ａ、１６ａが設けられている。この連結板１５をディスプレーパネル３１の一部と貼り合せることにより、収納箱１とディスプレーパネル３１とを連結して一体とすることができる。また、この補強片１６の切り込み１６ａ、１６ａを支持体４の主板４１の下辺の切り込み４１ａ、４１ａに互いに差し込むことにより、支持体４を補強することができる。また、一方の蓋板１３の端辺に差し込み片１３ａが延設され、もう一方の蓋板１３に折れ線ｃに沿ってスリット１３ｂ、１３ｂが設けられている。このスリット１３ｂ、１３ｂに差し込み片１３ａを差し込んで収納箱１を補強体とすることができる。また、この蓋板１３の上部にはスリット１３ｃが設けられ、ディスプレーパネル補強板５の差し込み片５３ａを差し込むことにより、ディスプレーパネル３１が前に倒れることを防ぐことができる。以上の二重折れ線ａ、折れ線ｂ、ｃ、ｄは全て両方向に容易に収納箱１のブランク１０が折れ曲がるように加工されている。
【００１０】
図３は、スタンド部２のブランク展開図である。スタンド部２のブランク２０では、前板２１の両側に二重折れ線ｆ、ｆを介して左右スタンド部側板２２、２２が連接され、これらのスタンド部側板２２、２２の中央にはそれぞれ中央折れ線ｉ、ｉが設けられてスタンド部側板前部２２Ａとスタンド部側板後部２２Ｂに区分され、スタンド部側板２２、２２を中央折れ線ｉ、ｉで内側に折り畳むことを可能にしている。また、スタンド部側板２２、２２の外側に、それぞれ折れ線ｇ、ｇを介してスタンド部糊代２３、２３が連接され、さらに、スタンド部糊代２３、２３を除くスタンド部側板後部２２Ｂ、スタンド部側板前部２２Ａ、スタンド部前板２１、スタンド部側板前部２２Ａ、スタンド部側板後部２２Ｂの各部の上辺にはスタンド部折り返し片２４、２４、２４、２４、２４がそれぞれ二重折れ線ｈを介して連接されている。
【００１１】
図４は、看板３のブランク展開図である。看板３のブランク３０は一枚の板紙からなるパネルであるが、ディスプレーパネル３１と商品載置板３２とが折れ線ｊで連接され、収納の都合上、ディスプレーパネル３１には折り畳み可能にする折れ線ｋが設けられていて、ディスプレーパネル上部３１Ａとディスプレーパネル下部３１Ｂとして二つ折される。網点の部分で収納箱１の連結板１５と貼り合わされる。
【００１２】
図５は、支持体４のブランク展開図である。支持体４は、同形の２枚の支持板のブランク４０Ａとブランク４０Ｂとからなり、それぞれ折り畳み可能な支持体主板４１の一方の側辺には折れ線ｌを介して支持体糊代４２が連接され、この支持体糊代４２はスタンド部２のスタンド部糊代片２３と共に収納箱１の底板１１に貼り付けられ、もう一方の側辺には折れ線ｍを介して支持体糊代４３が連接され、この支持体糊代４３はスタンド部２のスタンド部前板２１の端部に貼り付けられる。支持体主板４１は縦中央で折り曲げることができるように中央折れ線ｎが設けられている。この支持体４は、スタンド部２の中に組み込まれており、組み立てた時は折り曲げらて略Ｘ字形状の状態であり、スタンド部２のスタンド部側板２２、２２を折り畳むと同時に、この中央折れ線ｎ、ｎで支持体４の支持体主板４１、４１も内側に折り畳まれる。また、商品載置板３２を適宜なレベルに支持できる高さを有し、商品を支持できるだけの圧縮強さを有する基材からなっているが、支持体主板４１、４１の支持体糊代４２、４２に近い位置には、それぞれ支持体切り込み４１ａ、４１ａが設けられており、収納箱１の補強片１６の切り込み１６ａ、１６ａを入り弧状に組み込み、支持体４を補強することができる。
【００１３】
図６は、ディスプレーパネル補強板５のブランク展開図であって、ディスプレーパネル上部３２Ａの裏面に貼り合わせる。補強板主板５１の上部には折れ線ｏを介して補強板糊代５２を連接し、下部には折れ線ｐで差し込み板５３を連接し、折れ線ｐの中央部で補強板主板５１側に突状の補強板差し込み片５３ａを設けている。この補強板差し込み片５３ａを収納箱１の蓋体１３の上部に設けた差し込み口１３ｃに差し込むことにより、ディスプレーパネル３１を補強することができる。
【００１４】
図７は、本発明による販売台の折り畳み機能を説明する図である。本発明による販売台６の部材、すなわち、収納箱１と、スタンド部２と、ディスプレーパネル３１、支持体４と、商品載置板３２とは、図７−ａに示すように、一体的に接合されている。先ず、スタンド部２は、両スタンド部側板２２、２２が中央折れ線ｉ、ｉによって内側に中折れした状態でそのスタンド部糊代２３、２３と収納箱１の底板１１の内側部分とで糊貼りされている。（図２、図３の斜線部分）
また、ディスプレーパネル３１と商品載置板３２とを連接した看板３は、図７−ａに示すように、折れ線ｋで二つ折りされた状態で、収納箱１の一方の連結板１５とディスプレーパネル上部３１Ａとが糊貼りされている。（図２、図４の網点部分）
また、支持体４は、図８−ａ、ｂに示すように、スタンド部２のスタンド部側板２２、２２が中央折れ線ｉ、ｉで内側に折り畳まれると同時に、それぞれ支持体４の支持体主板４１、４１も重なるように中央折れ線ｎ、ｎで折り畳まれる。
従って、二つ折された看板３のブランク３０をスタンド部２の上に折り曲げて載せ、連結板１５と蓋板１３でそれらを包み込むと図７−ｃに示すように収納箱１内に全ての部材を収納することができる。本発明による販売台６は、このような収納機能を生かして、極めてコンパクトな状態で、しかも外装用の外箱を別途使用することなく組み立て現場に配送可能であるので、流通経費の削減とともに、組み立て部品の管理も容易になる。また、使用後も、収納箱１に全ての部材を収納して廃棄することができ、基材が全て紙からなることも相まって廃棄性に優れている。
【００１５】
図９は、本発明による販売台の組み立て状態を説明する図である。本発明による販売台６を現場において組み立てるには、まず、図７−ｃのような荷姿で配送される本発明による販売台６を、図７−ａ、ｂに示すように、収納箱１の左右の側板１２、１２、上下の側板１４、１４を広げ、ディスプレーパネル上部３１Ａを直立させる。
つぎに、図９−ａに示すように、スタンド部２を前面に引出して四角柱体を形成する。スタンド部２が四角柱体を形成されると同時に、図８−ａに示すように、折り畳まれていた支持体４が起こされて折り曲げられた略Ｘ字形の状態でスタンド部２の中に組み込まれる。
ついで、収納箱１の補強片１６をスタンド部２の内側に折り込み、図９−ｂ、ｃに示すように、この補強片１６の切り込み１６ａ、１６ａを支持体４の支持体主板４１の下辺の支持体切り込み４１ａ、４１ａに互いに差し込むことにより、支持体４を補強する。
つぎに、ディスプレーパネル下部３１Ｂを四角柱体の中に折り返し、連接した商品載置板３２を四角柱体内に挿着して、支持体４の上に載置する。
さらに、収納箱１の左右の側板１２、１２を今度は逆の方向に折り返し、スリット１３ｂ、１３ｃを設けた蓋板１３を逆方向に折り畳んで、図９−ｄに示すように、上部の補強板糊代５２でディスプレーパネル３１の裏面に貼り合わせた補強板５の下部の補強板差し込み片５３ａを収納箱１の蓋板１３のスリット１３ｃに差し込んでディスプレーパネル３１を補強する。
最後に、もう一方の蓋板１３を逆方向に折り畳んで、差し込み片１３ａ、１３ａをスリット１３ｂ、１３ｂに差し込むと、図１−ｂに示すように、補強体を裏側に形成することができ、本発明による販売台６は全体に剛性が付与された状態で組み立てられ、ディスプレーパネル上部３１Ａは直立して固定されて組み立てが完了する。
【００１６】
本発明による販売台６の各部材に使用される素材は、販売台の大きさ次第で種々の板紙あるいは段ボールの組み合わせが利用できるが、材料の組み合わせの一例を示すと、例えば、角柱体の内法寸法、若しくは商品載置板３２の一辺が２００〜３００ｍｍ程度の大きさの販売台６の場合に、次のような素材の組み合わせが好適である。
収納箱                                  Ａフルート段ボール
スタンド部                              Ｅフルート段ボール
看板（ディスプレーパネルと商品載置板）  板紙（７００〜８５０ｇ／ｍ2）
支持体                                  Ａフルート段ボール
なお、ディスプレーパネルと商品載置板とが連接された看板においては、ディスプレーパネルに板紙を使用するため、商品載置板の厚みが不充分となることから、商品載置板の裏面には段ボールの板を部分的に貼合することができる。
【００１７】
段ボールを使用する場合は、販売台の表面に現れる部分については、白ライナ、カラーライナを使用することが好ましい。段ボールに対しては、プリンタースロッターによるフレキソ印刷方式が最適であるが、フレキソ印刷等でプレプリントしたライナー原紙をコルゲート加工してもよく、また予め印刷した薄葉紙をラミネートするいわゆる合紙方式を採用してもよい。この薄葉紙への印刷の自由度は大きくオフセット、グラビア、フレキソ等の周知のいかなる印刷方法によってもよい。また、ディスプレーパネル３１には端面が段ボールよりも綺麗な板紙を使用するが、かなりの厚みを必要とするので、直接印刷が行いにくくなる場合は、段ボールと同じように合紙方式を採用してもよい。
【産業上の利用可能性】
【００１８】
本発明による販売台は、食品、飲料、化粧品、医薬品、医薬部外品、一般生活用品等幅広い商品を対象として、通常の新製品の販売促進はもとより、生活歳時や各種イベントに合わせた販促ツールとしての利用が可能である。
【図面の簡単な説明】
【００１９】
【図１】本発明による販売台の前後の外観を示す斜視図である。
【図２】本発明による販売台を構成する収納箱のブランクを示す展開図である。
【図３】本発明による販売台を構成するスタンド部のブランクを示す展開図である。
【図４】本発明による販売台を構成する看板のブランクを示す展開図である。
【図５】本発明による販売台を構成する支持体のブランクを示す展開図である。
【図６】本発明による販売台を構成するディスプレーパネル補強板のブランクを示す展開図である。
【図７】本発明による販売台の折り畳み機能の説明する図である。
【図８】本発明による販売台の支持体を説明する図である。
【図９】本発明による販売台の組み立て状態を説明する図である。
【符号の説明】
【００２０】
１        収納箱
２        支持体
３        看板
４        支持体
５        ディスプレーパネル補強板
６        本発明による販売台
１０        ブランク（収納箱）
１１        底板
１２        左右側板
１３        蓋板
１３ａ      差し込み片
１３ｂ      スリット
１３ｃ      スリット
１４        上下側板
１５        連結板
１６        補強片
１６ａ      切り込み
２０        ブランク（スタンド部）
２１        スタンド部前板
２２        スタンド部側板
２３        スタンド部糊代
２４        スタンド部折り返し片
３０        ブランク（看板）
３１        ディスプレーパネル
３１Ａ      ディスプレーパネル上部
３１Ｂ      ディスプレーパネル下部
３２        商品載置板
４０        ブランク（支持体）
４１        支持体主板
４１ａ      支持体切り込み
４２        支持体糊代
４３        支持体糊代
５０        ブランク（ディスプレーパネル補強板）
５１        補強板主板
５２        補強板糊代
５３        補強板差し込み板
５３ａ      補強板差し込み片
ａ〜ｐ      折れ線
ａ、ｆ、ｈ  二重折れ線
ｉ        中央縦折れ線
ｎ        中央縦折れ線
【図１】
2006255283.tif 000003
【図２】
2006255283.tif 000004
【図３】
2006255283.tif 000005
【図４】
2006255283.tif 000006
【図５】
2006255283.tif 000007
【図６】
2006255283.tif 000008
【図７】
2006255283.tif 000009
【図８】
2006255283.tif 000010
【図９】
2006255283.tif 000011